(57)【要約】      （修正有）【課題】複数組み合わせて大画面を構成するプロジェクションユニットにおいて、自由に傾けて配置することで大画面を曲面状に構成することができるプロジェクションユニットを提供する。【解決手段】プロジェクションユニット１は、大画面を構成するスクリーンを有するスクリーンユニットと、内部に投射ユニットが配設され、前面にスクリーンユニットが取り付けられる筐体３と、筐体３を構成する複数のフレーム面のうちの少なくとも１つのフレーム面のスクリーンに対する角度を設定自在であり、それによってプロジェクションユニット１のスクリーンを組み合わせた大画面を曲面状に構成可能な角度設定機構４１とを備えている。【選択図】図５
2014006279.tif 000002
【特許請求の範囲】
【請求項１】
複数組み合わせて大画面を構成するプロジェクションユニットであって、
前記大画面を構成するスクリーンを有するスクリーンユニットと、
内部に投射ユニットが配設され、前面に前記スクリーンユニットが取り付けられる筐体と、
前記筐体を構成する複数のフレーム面のうちの少なくとも１つのフレーム面の前記スクリーンに対する角度を設定自在であり、それによって前記プロジェクションユニットの前記スクリーンを組み合わせた前記大画面を曲面状に構成可能な角度設定機構と、
を備える、プロジェクションユニット。
【請求項２】
前記角度設定機構は、一端側を支点に回動可能な第１フレーム面と、前記第１フレーム面と対向する位置に配置された第２フレーム面と、前記第１フレーム面および前記第２フレーム面と交差する方向に配置されかつ一端側が固定された第３，第４フレーム面と、前記第３，第４フレーム面の他端側をそれぞれ移動可能に支持しかつ前記第３，第４フレーム面の移動により前記第１フレーム面を回動させるスライド機構とを備える、請求項１記載のプロジェクションユニット。
【請求項３】
前記角度設定機構は、一端側を支点に回動可能な第１フレーム面と、前記第１フレーム面と対向する位置に配置された第２フレーム面と、前記第１フレーム面および前記第２フレーム面と交差する方向に配置されかつ一端側が固定された第３フレーム面と、前記第３フレーム面の他端側を移動可能に支持しかつ前記第３フレーム面の移動により前記第１フレーム面を回動させるスライド機構とを備え、
前記第３フレーム面における前記第１フレーム面と前記第２フレーム面との間の長さは、前記第１フレーム面と第２フレーム面が平行となる状態での前記第１フレーム面と第２フレーム面との間の距離よりも長く設定された、請求項１記載のプロジェクションユニット。
【請求項４】
前記角度設定機構は、前記第１フレーム面の回動を規制するロック機構をさらに備える、請求項２または請求項３記載のプロジェクションユニット。
【発明の詳細な説明】
【技術分野】
【０００１】
本発明は、複数組み合わせて大画面のマルチビジョンを構成するプロジェクションユニットに関するものである。
【背景技術】
【０００２】
広告および展示会においてマルチビジョンを使用する場合、２０〜５０インチサイズ程度のフラットパネルディスプレイまたはプロジェクションユニットを複数組み合わせて大画面を構成することが一般的である。ディスプレイの筐体は、フラットパネルディスプレイであれば奥行きの少ない直方体の筐体で構成され、プロジェクションユニットであれば内部の投射ユニットとスクリーンを取り付けるために奥行きのある直方体の筐体で構成される。
【０００３】
一般にプロジェクションユニットは、投射ユニットとスクリーンと筐体等で構成されており、多段積みを行う場合、プロジェクションユニットのＸ−Ｙ方向を平面的に連結し、平面的な大画面表示を行う構成が一般的である（例えば特許文献１，２参照）。
【先行技術文献】
【特許文献】
【０００４】
【特許文献１】特開平８−１３０６９７号公報
【特許文献２】特開平１１−２５８６９５号公報
【発明の概要】
【発明が解決しようとする課題】
【０００５】
しかしながら、筐体の形状が直方体の場合、空間および配置場所に合わせて扇形状または円弧状に傾けて自由な配置を行おうとする際に制限がある上、自由な配置を行うために筐体以外にも配置に応じた部材を必要とし、このような部材のカスタマイズ設計および組み立てに要する時間が増加していた。
【０００６】
また、特許文献２では、投射ユニットが下部の筐体に取付けられており、スクリーンと筐体と反射ミラーを傾けて配置する場合に投射ユニットの配置は困難である。
【０００７】
そこで、本発明は、複数組み合わせて大画面を構成するプロジェクションユニットにおいて、自由に傾けて配置することで大画面を曲面状に構成することができるプロジェクションユニットを提供することを目的とする。
【課題を解決するための手段】
【０００８】
本発明に係るプロジェクションユニットは、複数組み合わせて大画面を構成するプロジェクションユニットであって、前記大画面を構成するスクリーンを有するスクリーンユニットと、内部に投射ユニットが配設され、前面に前記スクリーンユニットが取り付けられる筐体と、前記筐体を構成する複数のフレーム面のうちの少なくとも１つのフレーム面の前記スクリーンに対する角度を設定自在であり、それによって前記プロジェクションユニットの前記スクリーンを組み合わせた前記大画面を曲面状に構成可能な角度設定機構とを備えるものである。
【発明の効果】
【０００９】
本発明によれば、スクリーンを有するスクリーンユニットと、筐体と、筐体を構成する複数のフレーム面のうちの少なくとも１つのフレーム面のスクリーンに対する角度を設定自在であり、それによってプロジェクションユニットのスクリーンを組み合わせた大画面を曲面状に構成可能な角度設定機構を備えるため、プロジェクションユニットを自由に傾けて配置することができ、これにより大画面を曲面状に構成することができる。また、角度設定機構により少なくとも１つのフレーム面のスクリーンに対する角度を自在に設定できるため、プロジェクションユニットの配置に際してカスタマイズされた部材および組み立てが不要となる。
【図面の簡単な説明】
【００１０】
【図１】実施の形態１に係るプロジェクションユニットを複数組み合わせて構成したマルチビジョンの斜視図である。
【図２】図１のII-II線断面図である。
【図３】プロジェクションユニットの側面図である。
【図４】マルチビジョンの側面図である。
【図５】マルチビジョンの透視側面図である。
【図６】ロック機構の断面図である。
【図７】図６のVII-VII線断面図である。
【図８】スライド機構の斜視図である。
【図９】アジャスターの固定構造の斜視図である。
【図１０】実施の形態２に係るプロジェクションユニットを複数組み合わせて構成したマルチビジョンの斜視図である。
【図１１】マルチビジョンの平面図である。
【発明を実施するための形態】
【００１１】
＜実施の形態１＞
本発明の実施の形態１について、図面を用いて以下に説明する。図１は、本発明の実施の形態１に係るプロジェクションユニットを複数組み合わせて構成したマルチビジョン（大画面）の斜視図である。以下、プロジェクションユニット１の前後方向、左右方向、上下方向を、それぞれＸ軸方向、Ｙ軸方向およびＺ軸方向とするＸＹＺ直交座標系（図１参照）を適宜使用しながら説明する。
【００１２】
プロジェクションユニット１は、上下方向（Ｚ軸方向）および左右方向（Ｙ軸方向）に複数組み合わされることで大画面を構成する。図１では、上下方向および左右方向にそれぞれ３つのプロジェクションユニット１が組み合わされて大画面が構成されている。
【００１３】
プロジェクションユニット１は、大画面を構成するスクリーン４ａ（図２参照）を有するスクリーンユニット４と、スクリーン４ａへ映像を投射する投射ユニット２と、内部に投射ユニット２が配設され、前面にスクリーンユニット４が取り付けられる筐体３と、角度設定機構４１（図５参照）とを備えている。上の段に配置されるプロジェクションユニット１のスクリーンユニット４に対してその下の段に配置されるプロジェクションユニット１のスクリーンユニット４が角度θだけ傾くように、プロジェクションユニット１がそれぞれ組み合わされることで、大画面のスクリーンが曲面状に構成されている。
【００１４】
最初に、筐体３について説明する。図２は、図１のII-II線断面図であり、図３は、プロジェクションユニット１の側面図である。図１〜図３に示すように、筐体３は、プロジェクションユニット１の外郭を構成し、フレーム３ａ，３ｂ，３ｃ，３ｄ，３ｅ，３ｆ，３ｇ，３ｈ，３ｉ，３ｊを備えている。
【００１５】
フレーム３ａ，３ｂは、スクリーンユニット４と反対側に位置するフレーム３ｃに対してジョイント５と連結固定されることで一体化している。フレーム３ａ，３ｂのスクリーン４ａ側は、筐体３に固定される枠状部材６に支点６ａ，６ｂを介して連結されている。投射ユニット２は、筐体３よりも、小さいサイズであり、枠状部材６にスクリーンユニット４とともに固定されている。
【００１６】
下側のフレーム３ｇ，３ｈは、フレーム３ａ，３ｂと同様に、フレーム３ｃに対してジョイント５と連結固定されることで一体化している。フレーム３ｇ，３ｈのスクリーン４ａ側は、枠状部材６にフレーム固定端７ｂを介してしっかりと固定されている。フレーム３ｇ，３ｈの下面には、高さを調整するアジャスター１０が各２つずつ取り付けられている。アジャスター１０は、複数のプロジェクションユニット１が組み合わされた状態では下側のプロジェクションユニット１のフレーム３ｇ，３ｈの上面に固定される。
【００１７】
フレーム３ｂ側の右側面には、固定ネジ３１によりプレート８が固定され、プレート８には、フレーム３ｅを案内する溝８ａ，８ｂと、フレーム３ｆを案内する溝８ｃが設けられ、溝８ａ，８ｂ，８ｃはフレーム３ｂ側の右側面が支点６ｂを中心に下方に回動したときの案内溝として機能する。フレーム３ｅ，３ｆは、固定用蝶ネジ３０によりプレート８に固定され、図３においてフレーム３ｅ，３ｆは初期位置に位置している。なお、フレーム３ｂの反対側であるフレーム３ａ側の左側面も同じ構造であるため説明を省略する。
【００１８】
図４は、マルチビジョンの側面図である。上段に配置されたプロジェクションユニット１は初期形状であり、プロジェクションユニット３の左右側面においては、プレート８と蝶ネジ３０によりフレーム３ｄ，３ｅ，３ｆ，３ｉが初期位置にしっかりと固定されている。
【００１９】
中段に配置されたプロジェクションユニット１は、フレーム３ａ，３ｂ，３ｃにより構成される第１フレーム面（上面）がフレーム３ｃ，３ｇ，３ｈにより構成される第２フレーム面（下面）に対してθ度傾いた状態で下段に配置されたプロジェクションユニット１に取り付けられている。下段に配置されたプロジェクションユニット１も同様に、フレーム３ａ，３ｂ，３ｃにより構成される第１フレーム面がフレーム３ｃ，３ｇ，３ｈにより構成される第２フレーム面に対してθ度傾いた状態でスタンド４０に取り付けられている。ここで、第１フレーム面の角度設定は角度設定機構４１により行われるが、その詳細については後述する。
【００２０】
これにより、上段のプロジェクションユニット１のスクリーン４ａの前面に対し、中段のプロジェクションユニット１のスクリーン４ａの前面がθ度傾いた配置となっているとともに、下段のプロジェクションユニット１のスクリーン４ａの前面が２θ度傾いた配置となっている。中段と下段のプロジェクションユニット１のプレート８は、各フレーム３ｂと一体であり、下方に回動させた状態で固定されている。
【００２１】
次に、角度設定機構４１について説明する。図５は、マルチビジョンの透視側面図である。角度設定機構４１は、第１フレーム面と、第２フレーム面と、第３フレーム面と、第４フレーム面と、スライド機構３４と、ロック機構２７とを備え、第１フレーム面のスクリーン４ａに対する角度を設定自在に構成されている。
【００２２】
第１フレーム面（上面）は、フレーム３ａ，３ｂ，３ｃにより構成され、一端側を支点に回動可能に構成されている。第２フレーム面（下面）は、フレーム３ｃ，３ｇにより構成され、第１フレーム面と対向する位置に配置されている。第３フレーム面（右側面）は、フレーム３ｂ，３ｅ，３ｆ，３ｇにより構成され、第１フレーム面および第２フレーム面と交差する方向に配置されかつ一端側が固定されている。第４フレーム面（左側面）は、フレーム３ａ，３ｄ，３ｈ，３ｉにより構成され、第１フレーム面および第２フレーム面と交差する方向に配置されかつ一端側が固定されている。
【００２３】
上段のプロジェクションユニット１は、第１フレーム面、第３フレーム面とも初期位置にある。これに対して、中段と下段のプロジェクションユニット１は、第１フレーム面が、支点６ａ，６ｂを支点として回動されて、初期位置に対してθ度傾いている。第１フレーム面は、支点６ａ，６ｂに設けられたロック機構２７とプレート８で固定されている。
【００２４】
フレーム３ｆの両端には、回転支点１１ａ，１１ｃが取り付けられ、フレーム３ｅの両端には、回転支点１１ｂ，１１ｄが取り付けられている。回転支点１１ａ，１１ｂの上端はフレーム３ｂの溝に固定され、回転支点１１ｃ，１１ｄの下端はフレーム３ｇの溝３５（図８参照）に摺動可能に取り付けられている。ロック機構２７によるロックを解除するとともにプレート８と蝶ネジ３０で固定していない場合に、フレーム３ｆ，３ｅは、回動可能な状態となる。ここで、上段のプロジェクションユニット１のフレーム３ｆ，３ｅは、初期位置にあり、フレーム３ｂ，３ｇに対して垂直状態で固定されている。
【００２５】
次に、図６と図７を用いてロック機構２７を説明する。図６は、ロック機構２７の断面図であり、図７は、図６のVII-VII線断面図である。ロック機構２７は、第１フレーム面の回動を規制する機構であり、フレーム３ｂに形成された凹凸部２１と、ロック部材２２と、コイルバネ２３と、ロック部材２２に形成された凹凸部２４とを備えている。
【００２６】
枠状部材６の外端にロック部材２２を挟み込むようにして、ネジ穴２５に螺合させた固定ネジ２５ａによりロックカバー２６が取り付けられている。フレーム３ｂは、枠状部材６に対して支点ピン２０を中心に回動可能に取り付けられている。フレーム３ｂの一端部に凹凸部２１が形成され、凹凸部２１はロック部材２２の一端部に形成された凹凸部２４と係合可能に形成されている。
【００２７】
ロック部材２２の他端をフレーム３ｂ側へ付勢するコイルバネ２３が、枠状部材６とロックカバー２６との間の空間２８に収容されている。ロック部材２２は空間２８内でフレーム３ｂの長手方向（前後方向）に摺動できるようになっている。通常、ロック部材２２がコイルバネ２３によりフレーム３ｂ側に付勢されているため、凹凸部２４と凹凸部２１が嵌合し、フレーム３ｂはロック機構２７によりロックされた状態である。
【００２８】
ロックを解除する場合は、ロック部材２２をコイルバネ２３側に移動させて、フレーム３ｂ側の凹凸部２４と凹凸部２１との嵌合を解除させる。ロックを解除した状態でフレーム３ｂを所定の角度（図７の２点鎖線の位置）だけ回動させることで、図４、図５に示す中段および下段のプロジェクションユニット１のように第１フレーム面を回動させることができる。作業者がロック部材２２から手を離した場合、コイルバネ２３の付勢力によりロック部材２２が後方へ移動することで凹凸部２４が凹凸部２１と嵌合され、フレーム３ｂがロックされる。本実施の形態では、左右対称であり、反対側のフレーム３ａもフレーム３ｂと同じ構造である。
【００２９】
次に、図８を用いてスライド機構３４を説明する。図８は、スライド機構３４の斜視図である。スライド機構３４は、凸部形状溝３５と、摺動部材１２とを備えている。凸部形状溝３５はフレーム３ｇの上下に形成されている。
【００３０】
摺動部材１２は、フレーム３ｇの上下に形成された凸部形状溝３５のうちの一方の溝３５に挿入されるプレート１２ａと、フレーム３ｆの回転支点１１（１１ａ，１１ｂ，１１ｃ，１１ｄ）とを有する。プレート１２ａには、イモネジ３３用のネジ穴３２が形成されており、摺動部材１２を溝３５の任意の場所にイモネジ３３を使用して固定することができる構造となっている。各回転支点１１は、同じ構造であり、図５に示す回転支点１１ａ，１１ｂ側の摺動部材１２はイモネジ３３により固定され、回転支点１１ｃ，１１ｄ側の摺動部材１２は、固定されていない。
【００３１】
次に、図４と図５を用いて、初期状態である上段のプロジェクションユニット１から中段のプロジェクションユニット１の状態となるように角度を設定するための動作について説明する。最初に、作業者は、フレーム３ｂの一端側の支点６ｂのロック機構２７のロックを解除し、支点６ｂを支点としてフレーム３ｂを下方に回動させる。フレーム３ｂの回動により回転支点１１ｄがフレーム３ｇのフレーム溝内を前方に直動することで、フレーム３ｅが前方に回動する。また、回転支点１１ｃがフレーム３ｇのフレーム溝内を後方に直動することで、フレーム３ｆが後方に回動する。
【００３２】
反対側のフレームａ，ｄ，ｉも同様の動作を行い、上段のプロジェクションユニット１と接する第１フレーム面をθ度傾けた位置として、フレーム３ｂの一端側の支点６ｂをロック機構２７によりロックするとともに、プレート８とフレーム３ｆ，３ｅを蝶ネジ３０で固定する。同様に下段のプロジェクションユニット１も、中段のプロジェクションユニット１の場合と同様の動作を行うことで、積み段方向（上下方向）で曲面状の大画面のマルチビジョンが構成される。
【００３３】
次に、図９を用いてアジャスター１０の固定構造について説明する。図９は、アジャスター１０の固定構造の斜視図である。アジャスター１０は、フレーム３ｇの下面に取り付けられており、下段側に配置されるプロジェクションユニット１のフレーム３ｂの上側の溝３５に挿入されるプレート３６に形成された取り付け用長穴３８に固定ネジ３７で固定することで、アジャスター１０が下段側のプロジェクションユニット１に固定される。
【００３４】
以上のように、実施の形態１に係るプロジェクションユニット１は、スクリーン４ａを有するスクリーンユニット４と、筐体３と、筐体３を構成する複数のフレーム面のうちの少なくとも１つのフレーム面のスクリーン４ａに対する角度を設定自在であり、それによってプロジェクションユニット１のスクリーン４ａを組み合わせた大画面を曲面状に構成可能な角度設定機構４１を備えるため、プロジェクションユニット１を自由に傾けて配置することができ、これにより大画面を曲面状に構成することができる。
【００３５】
また、角度設定機構４１により少なくとも１つのフレーム面のスクリーン４ａに対する角度を自在に設定できるため、プロジェクションユニット１の配置に際してカスタマイズされた部材および組み立てが不要となり、ひいてはプロジェクションユニット１の小型化を図ることができる。さらに、大画面を曲面状に構成することで演出効果を高めることが可能となる。
【００３６】
また、角度設定機構４１は、一端側を支点に回動可能な第１フレーム面と、第１フレーム面と対向する位置に配置された第２フレーム面と、第１フレーム面および第２フレーム面と交差する方向に配置されかつ一端側が固定された第３，第４フレーム面と、第３，第４フレーム面の他端側をそれぞれ移動可能に支持しかつ第３，第４フレーム面の移動により第１フレーム面を回動させるスライド機構３４とを備える。したがって、スライド機構３４を用いて第３，第４フレーム面を移動させるという簡単な動作で、容易に大画面を曲面状に構成することができる。
【００３７】
また、角度設定機構４１は、第１フレーム面の回動を規制するロック機構２７をさらに備えるため、スクリーン４ａに対するフレーム面の角度を設定した後でこの角度が不意に変更されてしまうことを抑制することができる。
【００３８】
＜実施の形態２＞
次に、実施の形態２に係るプロジェクションユニット１０１について説明する。図１０は、実施の形態２に係るプロジェクションユニット１０１を複数組み合わせて構成したマルチビジョンの斜視図であり、図１１は、マルチビジョンの平面図である。なお、実施の形態２において、実施の形態１で説明したものと同様構成要素については同一符号を付して説明は省略する。
【００３９】
実施の形態２では、複数のプロジェクションユニット１０１は列方向（Ｙ方向）で曲面状に配置されている。プロジェクションユニット１０１は、投射ユニット２と、フレーム１０３a，１０３ｂ，１０３ｃ，１０３ｄ，１０３ｅ，１０３ｆ，１０３ｇ，１０３ｈを有する筐体１０３と、スクリーンユニット４と、角度設定機構４１とを備えている。
【００４０】
中央に配置されるプロジェクションユニット１０１のスクリーンユニット４に対してその列方向外側に配置されるプロジェクションユニット１０１のスクリーンユニット４がθ’度だけ傾くように、プロジェクションユニット１０１がそれぞれ組み合わされることで、大画面のスクリーンが曲面状に構成されている。
【００４１】
フレーム１０３ｂ，１０３ｇは、スクリーンユニット４と反対側に位置するフレーム１０３ｅに対してジョイント（図示省略）と連結固定されることで一体化している。フレーム１０３ｂ，１０３ｇにおいて枠状部材１０６側もジョイントと連結固定され強固な面をなしている。フレーム１０３ａ，１０３ｈのスクリーンユニット４側は、フレーム１０３ａ，１０３ｇの端に具備された支点１０６ａに連結されている。
【００４２】
フレーム１０３ａ，１０３ｂ，１０３ｃで構成される上面部には、実施の形態１の場合と同様に、フレーム１０３ｂ側を固定ネジ３１にて２ケ所固定されたプレート１０８が取り付けられる。プレート１０８には、フレーム１０３ａ，フレーム１０３ｃを案内する溝１０８ａ，１０８ｂが設けられ、溝１０８ａ，１０８ｂはフレーム１０３ａ側の面が支点１０６ａを中心外方向に回動したときの案内となっている。
【００４３】
角度設定機構４１は、一端側を支点に回動可能な第１フレーム面（左側面）と、第１フレーム面と対向する位置に配置された第２フレーム面（右側面）と、第１フレーム面および第２フレーム面と交差する方向に配置されかつ一端側が固定された第３フレーム面（後面）と、第３フレーム面の他端側を移動可能に支持しかつ第３フレーム面の移動により第１フレーム面を回動させるスライド機構３４とを備えている。
【００４４】
第１フレーム面は、フレーム１０３ａ，１０３ｄ，１０３ｈとで構成され、第２フレーム面は、フレーム１０３ｂ，１０３ｅ，１０３ｆ，１０３ｇとで構成され、第３フレーム面は、フレーム１０３ｃ，１０３ｄ，１０３ｅとで構成されている。
【００４５】
また、第３フレーム面における第１フレーム面と第２フレーム面との間の長さは、第１フレーム面と第２フレーム面が平行となる初期状態での第１フレーム面と第２フレーム面との間の距離よりも長く設定されている。
【００４６】
すなわち、フレーム１０３ｃがフレーム１０３ａとフレーム１０３ｂとの間の初期寸法よりも長く設定されているため、フレーム１０３ａが外方に回動すると同時にフレーム１０３ｃが支点１１１ｂを中心に回動することで、フレーム１０３ａの支点１１１ａ側は後方に直動する。一連の動作により第１フレーム面の後方が外方に移動することで、筐体１０３の外郭を変更することができる。ここで、フレーム１０３ｃの一端の支点１１１ａは、フレーム１０３ａの溝に沿って移動可能で支点１１１ｂは、フレーム１０３ｂに固定された構造となっている。
【００４７】
フレーム１０３ａと反対側（下側）のフレーム１０３ｈの角度設定についての構造について図示を省略しているが、フレーム１０３ａの場合と同じ構造である。一連の動作を実施し、プレート１０８とフレーム１０３ａ，１０３ｃを蝶ネジで固定すれば、大画面を列方向で曲面状に構成可能にすることができる。なお、スクリーンユニット４は正方形状であるため、９０度反転させることにより、段積み方向（Ｚ方向）でも曲面状に配置可能である。
【００４８】
以上のように、実施の形態２に係るプロジェクションユニット１０１は、角度設定機構４１は、一端側を支点に回動可能な第１フレーム面と、第１フレーム面と対向する位置に配置された第２フレーム面と、第１フレーム面および第２フレーム面と交差する方向に配置されかつ一端側が固定された第３フレーム面と、第３フレーム面の他端側を移動可能に支持しかつ第３フレーム面の移動により第１フレーム面を回動させるスライド機構３４とを備え、第３フレーム面における第１フレーム面と第２フレーム面との間の長さは、第１フレーム面と第２フレーム面が平行となる状態での第１フレーム面と第２フレーム面との間の距離よりも長く設定されている。したがって、スライド機構３４を用いて第３フレーム面を移動させるという簡単な動作で、容易に大画面を曲面状に構成することができる。
【００４９】
なお、本発明は、その発明の範囲内において、各実施の形態を自由に組み合わせたり、各実施の形態を適宜、変形、省略することが可能である。
【符号の説明】
【００５０】
１  プロジェクションユニット、３  筐体、４  スクリーンユニット、４ａ  スクリーン、２７  ロック機構、３４  スライド機構、４１  角度設定機構、１０１  プロジェクションユニット、１０３  筐体。
【図１】
2014006279.tif 000003
【図２】
2014006279.tif 000004
【図３】
2014006279.tif 000005
【図４】
2014006279.tif 000006
【図５】
2014006279.tif 000007
【図６】
2014006279.tif 000008
【図７】
2014006279.tif 000009
【図８】
2014006279.tif 000010
【図９】
2014006279.tif 000011
【図１０】
2014006279.tif 000012
【図１１】
2014006279.tif 000013